(57)【要約】【課題】調理容器に対する取付強度が大幅に向上するとともに簡単に着脱することができる調理容器用片手ハンドルを提供する。【解決手段】上端縁から外方に水平方向に突出する板状の突出保持部を備え、突出保持部には厚さ方向に貫通する貫通孔が形成された調理容器に着脱可能に取り付けられる調理容器用片手ハンドルであって、調理者が手で握るための握り部本体１０と、握り部本体と一体に連続して設けられ、調理容器の突出保持部に取り付けて固定するための取付部１１と、取付部に設けられ、突出保持部が挿入可能な取付スロット１１２と、取付スロットの下面側に形成され、突出保持部の輪郭形状に合致した形状の保持凹部１１３と、保持凹部に形成され、貫通孔に係合する係合凸部１１４と、突出保持部を保持凹部に対して押圧し貫通孔に係合凸部を係合させて突出保持部を固定する保持固定部１１５とを有する。【選択図】図４
2012080995.tif 000002
【特許請求の範囲】
【請求項１】
上端縁から外方に水平方向に突出する板状の突出保持部（９１）を備え、前記突出保持部（９１）には厚さ方向に貫通する貫通孔（９１１）が形成された調理容器（９）に着脱可能に取り付けられる調理容器用片手ハンドル（１）であって、
調理者が手で握るための握り部本体（１０）と、
前記握り部本体（１０）と一体に連続して設けられ、前記調理容器（９）の前記突出保持部（９１）に取り付けて固定するための取付部（１１）と、
前記取付部（１１）に設けられ、前記突出保持部（９１）が挿入可能な取付スロット（１１２）と、
前記取付スロット（１１２）の下面側に形成され、前記突出保持部（９１）の輪郭形状に合致した形状の保持凹部（１１３）と、
前記保持凹部（１１３）に形成され、前記貫通孔（９１１）に係合する係合凸部（１１４）と、
前記取付部（１１）に設けられ、前記突出保持部（９１）を前記保持凹部（１１３）に対して押圧し前記貫通孔（９１１）に前記係合凸部（１１４）を係合させて前記突出保持部（９１）を固定することが可能であるとともに、前記突出保持部（９１）の押圧を解除して固定を解放することが可能である保持固定部（１１５）とを有する調理容器用片手ハンドル。
【請求項２】
請求項１に記載した調理容器用片手ハンドルであって、
前記取付スロット（１１２）は、その内部で前記突出保持部（９１）が相対的に傾斜可能なものであり、
前記保持固定部（１１５）は、前記固定位置では前記突出保持部（９１）を前記取付スロット（１１２）内で相対的に傾斜させ、前記貫通孔（９１１）に前記係合凸部（１１４）を係合させるものである調理容器用片手ハンドル。
【請求項３】
請求項２に記載した調理容器用片手ハンドルであって、
前記保持固定部は、回動するカム部材（１１５）によって前記突出保持部（９１）を押圧するものである調理容器用片手ハンドル。
【請求項４】
請求項１〜３のいずれか１項に記載した調理容器用片手ハンドルであって、
前記握り部本体（１０）は、断熱性材料によって形成されたものである調理容器用片手ハンドル。
【発明の詳細な説明】
【技術分野】
【０００１】
この発明は、主に電磁誘導加熱調理器とともに使用して調理物を加熱調理する調理容器に着脱可能に取り付けられる調理容器用片手ハンドルに関するものであり、さらに詳しくは、調理容器に対する取付強度が大幅に向上するとともに簡単に着脱することができ、調理容器を片手用として使用可能とする調理容器用片手ハンドルに関するものである。
【背景技術】
【０００２】
電磁誘導加熱調理器は燃焼炎を使用しない安全かつ高効率の加熱調理器として急速に普及が拡大している。このような電磁誘導加熱調理器とともに使用するための調理容器としても種々の形態のものが製造されている。また、調理容器に取り付けおよび取り外し可能に固定される把持具も公知である。例えば、下記の特許文献１に記載されたようなものが公知である。特許文献１には、取っ手を備えていない調理容器の周壁に取り付け可能とした把持具が記載されている。この把持具は、支持片によって調理容器の周壁を挟持することにより、摩擦力で調理容器に固定されるものである。
【先行技術文献】
【特許文献】
【０００３】
【特許文献１】特開２００１−２２４５１４号公報
【発明の概要】
【発明が解決しようとする課題】
【０００４】
従来の着脱可能な把持具は、特許文献１のように、調理容器と把持具との接続固定を摩擦力によって行っていた。このため、調理容器と把持具の接続強度には限界があり、把持具を持って調理容器に大きな加速度を生じさせるような動作を行うと、調理容器が把持具から脱落してしまう恐れもあった。また、取っ手と調理容器の接続強度を向上させるには、接続部にねじ固定を利用することも考えられるが、ねじ固定では取っ手の着脱作業に時間がかかり、またねじを回すための工具も必要になる等の不具合が生じる。
【０００５】
そこで、本発明は、調理容器に着脱可能に取り付けられる調理容器用片手ハンドルであって、調理容器に対する取付強度が大幅に向上するとともに簡単に着脱することができる調理容器用片手ハンドルを提供することを目的とする。
【課題を解決するための手段】
【０００６】
上記目的を達成するために、本発明の調理容器用片手ハンドルは、上端縁から外方に水平方向に突出する板状の突出保持部を備え、前記突出保持部には厚さ方向に貫通する貫通孔が形成された調理容器に着脱可能に取り付けられる調理容器用片手ハンドルであって、調理者が手で握るための握り部本体と、前記握り部本体と一体に連続して設けられ、前記調理容器の前記突出保持部に取り付けて固定するための取付部と、前記取付部に設けられ、前記突出保持部が挿入可能な取付スロットと、前記取付スロットの下面側に形成され、前記突出保持部の輪郭形状に合致した形状の保持凹部と、前記保持凹部に形成され、前記貫通孔に係合する係合凸部と、前記取付部に設けられ、前記突出保持部を前記保持凹部に対して押圧し前記貫通孔に前記係合凸部を係合させて前記突出保持部を固定することが可能であるとともに、前記突出保持部の押圧を解除して固定を解放することが可能である保持固定部とを有するものである。
【０００７】
また、上記の調理容器用片手ハンドルにおいて、前記取付スロットは、その内部で前記突出保持部が相対的に傾斜可能なものであり、前記保持固定部は、前記固定位置では前記突出保持部を前記取付スロット内で相対的に傾斜させ、前記貫通孔に前記係合凸部を係合させるものであることが好ましい。
【０００８】
また、上記の調理容器用片手ハンドルにおいて、前記保持固定部は、回動するカム部材によって前記突出保持部を押圧するものであることが好ましい。
【０００９】
また、上記の調理容器用片手ハンドルにおいて、前記握り部本体は、断熱性材料によって形成されたものであることが好ましい。
【発明の効果】
【００１０】
本発明は、以上のように構成されているので、以下のような効果を奏する。
【００１１】
本発明の調理容器用片手ハンドルは、鍋に対する取り付け取り外しを非常に簡単に行うことができる。しかも、片手ハンドルの調理容器に対する取付強度は、従来のものに比べて大幅に向上している。また、片手ハンドルの着脱のための機構が簡素であり、故障が少なく信頼性が高いのと同時に、製造コストを低減させることができる。
【００１２】
取付スロット内で突出保持部を相対的に傾斜させて、片手ハンドルを調理容器に固定するようにしたので、片手ハンドルを取り付け固定するための機構が可動部の少ない簡素なものとなり、信頼性を向上させるとともに製造コストを低減させることができる。
【００１３】
保持固定部を回動するカム部材としたので、片手ハンドルを取り付け固定するための機構がさらに簡素なものとなり、信頼性を向上させるとともに製造コストを低減させることができる。
【図面の簡単な説明】
【００１４】
【図１】図１は、本発明の調理容器用片手ハンドルを適用する調理容器（鍋９）を上方から見た平面図である。
【図２】図２は、鍋９を正面から見た断面図である。
【図３】図３は、本発明の片手ハンドル１を鍋９に取り付けた状態を示す図である。
【図４】図４は、片手ハンドル１を正面から見た断面図である。
【図５】図５は、片手ハンドル１を上方から見た平面図である。
【図６】図６は、取付部１１の動作を示す拡大断面図である。
【図７】図７は、片手ハンドル１固定時の取付部１１の状態を示す図である。
【発明を実施するための形態】
【００１５】
本発明の実施の形態について図面を参照して説明する。図１および図２は、本発明の調理容器用片手ハンドルを適用する調理容器の構成を示す図である。図１は調理容器としての鍋９を上方から見た平面図であり、図２は鍋９を正面から見た断面図である。この鍋９の中に調理物等を収容して電磁誘導加熱調理器やガスコンロなどの上に載置し、内部の調理物等を加熱調理することができる。鍋９は、ＪＩＳ規格におけるＳＵＳ４３０等のステンレス綱板材を加工して容器としたものである。板材の板厚は０．８〜３ｍｍ程度が適当である。電磁誘導加熱調理器に使用する場合、板材の材料は加熱性の点からＳＵＳ４３０が適している。
【００１６】
鍋９の上端縁には、鍋本体から外方に水平方向に突出する板状の突出保持部９１が設けられている。また、突出保持部９１の対向位置には、突出保持部９１と同様の第２突出保持部９２が設けられている。突出保持部９１には、厚さ方向に貫通する貫通孔９１１が形成されている。第２突出保持部９２はその突出量が突出保持部９１よりもいくぶん小さくなっており、また、第２突出保持部９２には貫通孔は設けられていない。
【００１７】
鍋９は、突出保持部９１に本発明の片手ハンドル１を取り付けて、片手鍋として使用することができる。また、片手ハンドル１を取り外して、突出保持部９１および第２突出保持部９２によって両手で鍋９を持つこともできる。鍋９の加熱時には、突出保持部９１および第２突出保持部９２に断熱材からなるカバーを取り付けて、それらのカバーを介して鍋９を両手で持つこともできる。このように鍋９は、片手鍋としても両手鍋としても使用することができる。
【００１８】
図３は、本発明の片手ハンドル１を鍋９に取り付けた状態を示す図である。鍋９の部分は断面で示している。片手ハンドル１はほぼ全体が断熱性材料によって形成されている。図示のように、片手ハンドル１を突出保持部９１に簡単に取り付けることができる。突出保持部９１から片手ハンドル１を取り外すことも簡単にできる。片手ハンドル１の構成と、片手ハンドル１の取り付け取り外し手順について、以下に詳しく説明する。
【００１９】
図４は、片手ハンドル１を正面から見た断面図である。また、図５は、片手ハンドル１を上方から見た平面図である。片手ハンドル１は、手で握るための握り部本体１０と、鍋９の突出保持部９１に取り付けるための取付部１１とからなっている。片手ハンドル１の握り部本体１０をはじめとする主要部分は、断熱性材料によって形成されている。取付部１１には、突出保持部９１を挿入可能な取付スロット１１２が設けられている。握り部本体１０と一体の上部部材と、下部部材１２とが３個所のボルト１３によって互いに固定されており、それらの両部材の間に取付スロット１１２が形成されている。
【００２０】
取付スロット１１２の下面は、突出保持部９１の輪郭形状に合致した形状の保持凹部１１３となっている。この保持凹部１１３に突出保持部９１がちょうどぴったり収納できるようになっている。保持凹部１１３における突出保持部９１の貫通孔９１１に対応する位置には、貫通孔９１１の形状に合致し、この貫通孔９１１に係合する係合凸部１１４が設けられている。保持凹部１１３に突出保持部９１が収納されたときには、係合凸部１１４が貫通孔９１１に係合し、突出保持部９１に対して片手ハンドル１を強固に固定することができる。
【００２１】
握り部本体１０と一体の上部部材には、カム部材１１５が矢印で示すように回動可能に設けられている。このカム部材１１５が片手ハンドル１を突出保持部９１に固定するための保持固定部として機能する。カム部材１１５は上部部材に設置された支軸１１６によって軸支されている。取付スロット１１２の開口側を前方とすると、カム部材１１５は前方に倒した固定位置（実線で示した位置）と後方に起こした解放位置（二点鎖線で示した位置）との間で回動させることができる。
【００２２】
固定位置は片手ハンドル１を突出保持部９１に固定するための位置であり、解放位置は片手ハンドル１を突出保持部９１から解放するための位置である。固定位置側にはカム部材１１５の固定位置を規定するためのストッパ１１７が設けられている。ストッパ１１７は上部部材と一体に形成されている。
【００２３】
図６および図７は、取付部１１の動作を示す拡大断面図である。片手ハンドル１を鍋９の突出保持部９１に固定する場合は、まず、カム部材１１５を図６に示すような解放位置とした後、突出保持部９１を図示のように取付スロット１１２の最奥部まで挿入する。そして、矢印で示すようにカム部材１１５を前方に倒して固定位置とする。図７がカム部材１１５を固定位置として片手ハンドル１を固定した状態を示している。
【００２４】
カム部材１１５を固定位置まで回動させる際に、カム部材１１５によって突出保持部９１を保持凹部１１３に向けて押圧し、突出保持部９１を取付スロット１１２内で相対的に傾斜させて保持凹部１１３に全体を嵌入させる。それとともに係合凸部１１４が貫通孔９１１に係合する。カム部材１１５を固定位置とした固定状態では、突出保持部９１が保持凹部１１３にぴったり嵌合するとともに、係合凸部１１４が貫通孔９１１に係合しており、片手ハンドル１が突出保持部９１に強固に固定されている。片手ハンドル１を持って鍋９に大きな加速度を生じさせても、鍋９が脱落してしまうことはない。
【００２５】
片手ハンドル１を鍋９の突出保持部９１から取り外す場合には、上述の手順と逆の動作を行えばよい。カム部材１１５を図７に示すような固定位置から、図６に示すような解放位置まで回動させる。そして、取付スロット１１２から突出保持部９１を引き抜けば取り外すことができる。
【００２６】
以上のように、本発明の片手ハンドル１は、鍋９に対する取り付け取り外しを非常に簡単に行うことができる。しかも、片手ハンドル１の取付強度は、従来のものに比べて大幅に向上している。また、片手ハンドル１の着脱のための機構が簡素であり、故障が少なく信頼性が高いのと同時に、製造コストを低減させることができる。
【産業上の利用可能性】
【００２７】
本発明によれば、調理容器用片手ハンドルの調理容器に対する取付強度を大幅に向上させることができ、また、調理容器用片手ハンドルを簡単に着脱することができる。
【符号の説明】
【００２８】
１  片手ハンドル
９  鍋
１０  握り部本体
１１  取付部
１２  下部部材
１３  ボルト
９１  突出保持部
９２  第２突出保持部
１１２  取付スロット
１１３  保持凹部
１１４  係合凸部
１１５  カム部材
１１６  支軸
１１７  ストッパ
９１１  貫通孔
【図１】
2012080995.tif 000003
【図２】
2012080995.tif 000004
【図３】
2012080995.tif 000005
【図４】
2012080995.tif 000006
【図５】
2012080995.tif 000007
【図６】
2012080995.tif 000008
【図７】
2012080995.tif 000009